(57)【特許請求の範囲】
【請求項１】
入金口から投入された紙幣を識別部によって識別して収納部へ収納するとともに前記収納部へ収納された紙幣を出金口へ投出する紙幣処理装置であって、
前記識別部によって識別された紙幣を前記収納部へ収納する第１のモードと、前記識別部によって識別された紙幣を前記収納部へ収納することなく投出する第２のモードとの間で動作モードを切り替えるモード切替部と、
前記識別部によって識別された紙幣を繰り入れて一時的に保留するとともに保留した紙幣を繰り出し可能な一時保留部と、
前記動作モードが第２のモードである場合に、前記識別部による識別結果に応じて、第１金種と識別された紙幣を前記出金口へ振り分けるとともに第２金種と識別された紙幣を前記一時保留部へ振り分ける振分部と、
前記動作モードが前記第２のモードである場合に、前記振分部によって前記一時保留部へ振り分けられた紙幣を、利用者により投出先として設定された前記出金口あるいは前記入金口へ、前記識別部による再識別を行うことなく直接繰り出す繰出部と
を備えたことを特徴とする紙幣処理装置。
【請求項２】
前記識別部は、
前記紙幣の金種および表裏を識別し、
前記振分部は、
前記識別部によって所定の金種と識別された紙幣のうち、表向きまたは裏向きの紙幣を前記出金口へ振り分けるとともに前記出金口へ振り分けた紙幣と逆向きの紙幣を前記一時保留部へ振り分け、
前記繰出部は、
前記振分部によって前記一時保留部へ振り分けられた紙幣の表裏を反転させたうえで該紙幣を前記出金口あるいは前記入金口へ繰り出す
ことを特徴とする請求項１に記載の紙幣処理装置。
【請求項３】
前記動作モードが第１のモードである場合に、前記識別部によって不適正と識別されたリジェクト紙幣が集積されるリジェクト口
をさらに備え、
前記振分部は、
前記動作モードが第２のモードである場合に、前記識別部によって所定の金種と識別された紙幣を前記出金口あるいは前記一時保留部へ振り分けるとともに、前記不適正と識別された紙幣および前記所定の金種と識別された紙幣以外の紙幣を前記リジェクト口へ振り分け、
前記繰出部は、
前記振分部によって前記一時保留部へ振り分けられた紙幣を前記出金口、前記入金口または前記リジェクト口のいずれかへ繰り出す
ことを特徴とする請求項１または２に記載の紙幣処理装置。
【請求項４】
前記振分部は、
前記第１金種を前記出金口へ、前記第２金種を前記リジェクト口へ振り分けるとともに、前記リジェクト紙幣を前記一時保留部へ振り分ける
ことを特徴とする請求項３に記載の紙幣処理装置。
【請求項５】
前記出金口および前記リジェクト口の少なくともいずれか一つに残存する紙幣を検知する残存紙幣検知部
をさらに備え、
前記繰出部は、
前記振分部によって前記一時保留部へ振り分けられた紙幣を、前記残存紙幣検知部によって紙幣が残存していないことを検知した前記出金口または前記リジェクト口のいずれかへ繰り出す
ことを特徴とする請求項３または４に記載の紙幣処理装置。
【請求項６】
前記収納部を含んだ下部ユニットと前記収納部以外を含んだ上部ユニットとが分離可能であり、
前記上部ユニットと前記下部ユニットとの接続状態を検知する状態検知部
をさらに備え、
前記モード切替部は、
前記上部ユニットと前記下部ユニットとが接続されていないことが前記状態検知部によって検知された場合に、前記動作モードを前記第２のモードへ切り替える
ことを特徴とする請求項１〜５の何れか一つに記載の紙幣処理装置。
【請求項７】
入金口から投入された紙幣を識別部によって識別して収納部へ収納するとともに前記収納部へ収納された紙幣を出金口へ投出する紙幣処理装置を利用して紙幣を処理する方法であって、
前記識別部によって識別された紙幣を前記収納部へ収納するモードから、前記識別部によって識別された紙幣を前記収納部へ収納することなく投出するモードへ切り替えるステップと、
前記入金口に載置された紙幣を、前記識別部によって識別するステップと、
識別結果に基づき、所定の金種と識別された表向きまたは裏向きの紙幣を第１出金口へ振り分けるとともに、前記第１出金口へ振り分けた紙幣と逆向きの紙幣を一時保留部へ振り分けるステップと、
前記識別部による識別結果に基づき、前記所定の金種以外の紙幣を第２出金口に振り分けるステップと、
前記一時保留部へ振り分けられた紙幣を、利用者により投出先として設定された前記第１出金口、前記入金口および前記第２出金口のいずれかへ繰り出すステップと
を含んだことを特徴とする紙幣処理方法。
【請求項８】
入金口から投入された紙幣を識別部によって識別して収納部へ収納するとともに前記収納部へ収納された紙幣を出金口へ投出する紙幣処理装置を利用して紙幣を処理する方法であって、
前記識別部によって識別された紙幣を前記収納部へ収納するモードから、前記識別部によって識別された紙幣を前記収納部へ収納することなく投出するモードへ切り替えるステップと、
前記入金口に載置された紙幣を、前記識別部によって識別するステップと、
識別結果に基づき、第１金種と識別された紙幣を第１出金口へ振り分けるとともに、第２金種と識別された紙幣を一時保留部へ振り分けるステップと、
前記識別部による識別結果に基づき、前記第１金種および第２金種以外の紙幣を、第２出金口に振り分けるステップと、
前記一時保留部へ振り分けられた紙幣を、利用者により投出先として設定された前記第１出金口、前記入金口および前記第２出金口のいずれかへ繰り出すステップと
を含んだことを特徴とする紙幣処理方法。
【請求項９】
入金口から投入された紙幣を識別部によって識別して収納部へ収納するとともに前記収納部へ収納された紙幣を出金口へ投出する紙幣処理装置を利用して紙幣を処理する方法であって、
前記識別部によって識別された紙幣を前記収納部へ収納するモードから、前記識別部によって識別された紙幣を前記収納部へ収納することなく投出するモードへ切り替えるステップと、
前記入金口に載置された紙幣を、前記識別部によって識別するステップと、
前記識別部による識別結果に基づき、第１金種と識別された紙幣を第１出金口へ振り分けるとともに、第２金種と識別された紙幣を第２出金口へ振り分けるステップと、
前記識別部による識別結果に基づき、前記第１金種および前記第２金種以外の紙幣を一時保留部へ振り分けるステップと、
前記一時保留部へ振り分けられた紙幣を、利用者により投出先として設定された前記第１出金口、前記第２出金口、および前記入金口のいずれかへ繰り出すステップと
を含んだことを特徴とする紙幣処理方法。
【請求項１０】
前記識別部によって識別された紙幣を前記収納部へ収納するモードにおいては、前記入金口に載置された紙幣のうちリジェクト紙幣を前記第２出金口に振り分ける
ことを特徴とする請求項７、８または９に記載の紙幣処理方法。
【発明の詳細な説明】
【技術分野】
【０００１】
この発明は、入金された紙幣を識別して収納する入金処理および収納された紙幣を出金する出金処理を行う紙幣処理装置および紙幣処理方法に関し、特に、入金された紙幣を収納することなく識別できる紙幣処理装置および紙幣処理方法に関する。
【背景技術】
【０００２】
従来、銀行等の金融機関の窓口には、紙幣の入出金処理を行う紙幣処理装置が設置されている。この紙幣処理装置は、入金口に投入された紙幣を金種や真偽等の識別を行ったうえで収納部へ収納するとともに、収納された紙幣をユーザからの操作に応じて出金口へ投出する装置である。なお、紙幣処理装置は、入金された紙幣の計数処理も併せて行っている。
【０００３】
また、近年では、収納部に収納された紙幣を出金する場合に、出金する紙幣の表裏を識別し、裏向き（あるいは表向き）と識別された紙幣の向きを反転させることによって表裏が揃った状態で紙幣を出金する紙幣処理装置も知られている（たとえば、特許文献１参照）。
【先行技術文献】
【特許文献】
【０００４】
【特許文献１】特開平９−５２６４８号公報
【発明の概要】
【発明が解決しようとする課題】
【０００５】
しかしながら、複数の収納部を有する従来の紙幣処理装置では、識別計数した入金紙幣を、金種や真偽等の識別結果に対応して設けられた収納部へ収納していた。このため、紙幣の計数・識別のみを行いたい場合には、別途設置された装置を利用する必要があり、設置スペースや設備費用の面で問題となっていた。
【０００６】
また、入金された紙幣を、対応する複数の収納部のいずれかに収納する従来の紙幣処理装置が表裏反転機能を備えている場合には、入金時において入金紙幣を収納部へ収納する前あるいは出金時において出金すべき紙幣を出金口へ投出する前に、紙幣の表裏反転処理を行っていた。このため、利用者が入出金することなく紙幣の反転処理を行いたい場合には、従来の紙幣処理装置に設けられた表裏反転機能を利用することができず、別途設置された専用の装置を利用する必要があった。
【０００７】
これらのことから、入出金を伴わない紙幣の識別・計数を、専用の装置を別途設けることなく、複数収納部を有する紙幣処理装置を利用して実現することが望まれていた。
【０００８】
本発明は、上述した従来技術による問題点を解消するためになされたものであって、入金された紙幣を収納することなく識別できる紙幣処理装置および紙幣処理方法を提供することを目的とする。
【課題を解決するための手段】
【０００９】
上述した課題を解決し、目的を達成するため、本発明は、入金口から投入された紙幣を識別部によって識別して収納部へ収納するとともに前記収納部へ収納された紙幣を出金口へ投出する紙幣処理装置であって、前記識別部によって識別された紙幣を前記収納部へ収納する第１のモードと、前記識別部によって識別された紙幣を前記収納部へ収納することなく投出する第２のモードとの間で動作モードを切り替えるモード切替部と、前記識別部によって識別された紙幣を繰り入れて一時的に保留するとともに保留した紙幣を繰り出し可能な一時保留部と、前記動作モードが第２のモードである場合に、前記識別部による識別結果に応じて、第１金種と識別された紙幣を前記出金口へ振り分けるとともに第２金種と識別された紙幣を前記一時保留部へ振り分ける振分部と、前記動作モードが前記第２モードである場合に、前記振分部によって前記一時保留部へ振り分けられた紙幣を、利用者により投出先として設定された前記出金口あるいは前記入金口へ、前記識別部による再識別を行うことなく直接繰り出す繰出部とを備えたことを特徴とする。
【００１０】
また、本発明は、上記の発明において、前記識別部は、前記紙幣の金種および表裏を識別し、前記振分部は、前記識別部によって所定の金種と識別された紙幣のうち、表向きまたは裏向きの紙幣を前記出金口へ振り分けるとともに前記出金口へ振り分けた紙幣と逆向きの紙幣を前記一時保留部へ振り分け、前記繰出部は、前記振分部によって前記一時保留部へ振り分けられた紙幣の表裏を反転させたうえで該紙幣を前記出金口あるいは前記入金口へ繰り出すことを特徴とする。
【００１２】
また、本発明は、上記の発明において、前記動作モードが第１のモードである場合に、前記識別部によって不適正と識別されたリジェクト紙幣が集積されるリジェクト口をさらに備え、前記振分部は、前記動作モードが第２のモードである場合に、前記識別部によって所定の金種と識別された紙幣を前記出金口あるいは前記一時保留部へ振り分けるとともに、前記不適正と識別された紙幣および前記所定の金種と識別された紙幣以外の紙幣を前記リジェクト口へ振り分け、前記繰出部は、前記振分部によって前記一時保留部へ振り分けられた紙幣を前記出金口、前記入金口または前記リジェクト口のいずれかへ繰り出すことを特徴とする。
【００１３】
また、本発明は、上記の発明において、前記振分部は、前記第１金種を前記出金口へ、前記第２金種を前記リジェクト口へ振り分けるとともに、前記リジェクト紙幣を前記一時保留部へ振り分けることを特徴とする。
【００１４】
また、本発明は、上記の発明において、前記出金口および前記リジェクト口の少なくともいずれか一つに残存する紙幣を検知する残存紙幣検知部をさらに備え、前記繰出部は、前記振分部によって前記一時保留部へ振り分けられた紙幣を、前記残存紙幣検知部によって紙幣が残存していないことを検知した前記出金口または前記リジェクト口のいずれかへ繰り出すことを特徴とする。
【００１５】
また、本発明は、上記の発明において、前記収納部を含んだ下部ユニットと前記収納部以外を含んだ上部ユニットとが分離可能であり、前記上部ユニットと前記下部ユニットとの接続状態を検知する状態検知部をさらに備え、前記モード切替部は、前記上部ユニットと前記下部ユニットとが接続されていないことが前記状態検知部によって検知された場合に、前記動作モードを前記第２のモードへ切り替えることを特徴とする。
【００１６】
また、本発明は、入金口から投入された紙幣を識別部によって識別して収納部へ収納するとともに前記収納部へ収納された紙幣を出金口へ投出する紙幣処理装置を利用して紙幣を処理する方法であって、前記識別部によって識別された紙幣を前記収納部へ収納するモードから、前記識別部によって識別された紙幣を前記収納部へ収納することなく投出するモードへ切り替えるステップと、前記入金口に載置された紙幣を、前記識別部によって識別するステップと、識別結果に基づき、所定の金種と識別された表向きまたは裏向きの紙幣を第１出金口へ振り分けるとともに、前記第１出金口へ振り分けた紙幣と逆向きの紙幣を一時保留部へ振り分けるステップと、前記識別部による識別結果に基づき、前記所定の金種以外の紙幣を第２出金口に振り分けるステップと、前記一時保留部へ振り分けられた紙幣を、利用者により投出先として設定された前記第１出金口、前記入金口および前記第２出金口のいずれかへ繰り出すステップとを含んだことを特徴とする。
【００１７】
また、本発明は、入金口から投入された紙幣を識別部によって識別して収納部へ収納するとともに前記収納部へ収納された紙幣を出金口へ投出する紙幣処理装置を利用して紙幣を処理する方法であって、前記識別部によって識別された紙幣を前記収納部へ収納するモードから、前記識別部によって識別された紙幣を前記収納部へ収納することなく投出するモードへ切り替えるステップと、前記入金口に載置された紙幣を、前記識別部によって識別するステップと、識別結果に基づき、第１金種と識別された紙幣を第１出金口へ振り分けるとともに、第２金種と識別された紙幣を一時保留部へ振り分けるステップと、前記識別部による識別結果に基づき、前記第１金種および第２金種以外の紙幣を、第２出金口に振り分けるステップと、前記一時保留部へ振り分けられた紙幣を、利用者により投出先として設定された前記第１出金口、前記入金口および前記第２出金口のいずれかへ繰り出すステップとを含んだことを特徴とする。
【００１８】
また、本発明は、入金口から投入された紙幣を識別部によって識別して収納部へ収納するとともに前記収納部へ収納された紙幣を出金口へ投出する紙幣処理装置を利用して紙幣を処理する方法であって、前記識別部によって識別された紙幣を前記収納部へ収納するモードから、前記識別部によって識別された紙幣を前記収納部へ収納することなく投出するモードへ切り替えるステップと、前記入金口に載置された紙幣を、前記識別部によって識別するステップと、前記識別部による識別結果に基づき、第１金種と識別された紙幣を第１出金口へ振り分けるとともに、第２金種と識別された紙幣を第２出金口へ振り分けるステップと、前記識別部による識別結果に基づき、前記第１金種および前記第２金種以外の紙幣を一時保留部へ振り分けるステップと、前記一時保留部へ振り分けられた紙幣を、利用者により投出先として設定された前記第１出金口、前記第２出金口、および前記入金口のいずれかへ繰り出すステップとを含んだことを特徴とする。
【００１９】
また、本発明は、上記の発明において、前記識別部によって識別された紙幣を前記収納部へ収納するモードにおいては、前記入金口に載置された紙幣のうちリジェクト紙幣を前記第２出金口に振り分けることを特徴とする。
【発明の効果】
【００２０】
本発明によれば、識別部によって識別された紙幣を収納部へ収納する第１のモードと、識別部によって識別された紙幣を収納部へ収納することなく投出する第２のモードとの間で動作モードを切り替えるモード切替部と、識別部によって識別された紙幣を繰り入れて一時的に保留するとともに保留した紙幣を繰り出し可能な一時保留部と、動作モードが第２のモードである場合に、識別部による識別結果に応じて紙幣を出金口あるいは一時保留部の何れかへ振り分ける振分部と、振分部によって一時保留部へ振り分けられた紙幣を出金口あるいは入金口へ繰り出す繰出部とを備えることとしたため、入金された紙幣を収納することなく識別できるという効果を奏する。
【００２１】
また、本発明によれば、識別部は、紙幣の金種および表裏を識別し、振分部は、識別部によって所定の金種と識別された紙幣のうち、表向きまたは裏向きの紙幣を出金口へ振り分けるとともに出金口へ振り分けた紙幣と逆向きの紙幣を一時保留部へ振り分け、繰出部は、振分部によって一時保留部へ振り分けられた紙幣の表裏を反転させたうえで該紙幣を出金口あるいは入金口へ繰り出すこととしたため、表裏がバラバラな状態で紙幣が投入された場合であっても、これらの紙幣のうち所定の金種の紙幣を識別計数し、かつ、所定の金種の紙幣を表裏が揃った状態で投出することができるという効果を奏する。
【００２２】
また、本発明は、振分部は、識別部によって第１金種と識別された紙幣を出金口へ振り分けるとともに第２金種と識別された紙幣を一時保留部へ振り分け、繰出部は、振分部によって一時保留部へ振り分けられた第２金種の紙幣を出金口あるいは入金口へ繰り出すこととしたため、入金口に２種類の紙幣が投入された場合に、これらの紙幣を識別し、かつ、金種ごとに並び替えて投出することができるという効果を奏する。
【００２３】
また、本発明は、動作モードが第１のモードである場合に、識別部によって不適正と識別されたリジェクト紙幣が集積されるリジェクト口をさらに備え、振分部は、動作モードが第２のモードである場合に、識別部によって所定の金種と識別された紙幣を出金口あるいは一時保留部へ振り分けるとともに、不適正と識別された紙幣および所定の金種と識別された紙幣以外の紙幣をリジェクト口へ振り分け、繰出部は、振分部によって一時保留部へ振り分けられた紙幣を出金口、入金口またはリジェクト口のいずれかへ繰り出すこととしたため、識別対象外の紙幣が混在している場合であっても、これら対象外の紙幣をリジェクト口へ別途集積しながら識別対称となる紙幣を識別し、かつ、識別対象となる紙幣を金種ごとに並び替えて投出することができるという効果を奏する。
【００２４】
また、本発明は、振分部が、第１金種を出金口へ、第２金種をリジェクト口へ振り分けるとともに、リジェクト紙幣を一時保留部へ振り分けることとしたため、第１金種および第２金種がそれぞれ他の金種の紙幣と分離された状態で個別に投出されるため、第１金種および第２金種の紙幣をすぐに他の処理に回すことができる。
【００２５】
また、本発明は、出金口およびリジェクト口の少なくともいずれか一つに残存する紙幣を検知する残存紙幣検知部をさらに備え、繰出部は、振分部によって一時保留部へ振り分けられた紙幣を、残存紙幣検知部によって紙幣が残存していないことを検知した出金口またはリジェクト口のいずれかへ繰り出すこととしたため、第１金種の紙幣と第２金種の紙幣とを同一の場所から投出する場合であっても、ユーザが、第１金種の紙幣と第２金種の紙幣とを個別に取り出すことができるという効果を奏する。
【００２６】
また、本発明は、収納部を含んだ下部ユニットと収納部以外を含んだ上部ユニットとが分離可能であり、上部ユニットと下部ユニットとの接続状態を検知する状態検知部をさらに備え、モード切替部は、上部ユニットと下部ユニットとが接続されていないことが状態検知部によって検知された場合に、動作モードを第２のモードへ切り替えることとしたため、動作モードの切り替えに要するユーザの負担を軽減することができるという効果を奏する。
【００２７】
また、本発明によれば、識別部によって識別された紙幣を収納部へ収納するモードから、識別部によって識別された紙幣を収納部へ収納することなく投出するモードへ切り替えるステップと、入金口に載置された紙幣を、識別部によって識別するステップと、識別結果に基づき、所定の金種と識別された表向きまたは裏向きの紙幣を第１出金口へ振り分けるとともに、第１出金口へ振り分けた紙幣と逆向きの紙幣を一時保留部へ振り分けるステップと、識別部による識別結果に基づき、所定の金種以外の紙幣を第２出金口に振り分けるステップと、一時保留部へ振り分けられた紙幣を、第１出金口、入金口および第２出金口のいずれかへ繰り出すこととしたため、表裏がバラバラな状態で紙幣が投入された場合であっても、これらの紙幣のうち所定の金種の紙幣を識別計数し、かつ、所定の金種の紙幣を表裏が揃った状態で投出することができるという効果を奏する。
【００２８】
また、本発明は、識別部によって識別された紙幣を収納部へ収納するモードから、識別部によって識別された紙幣を収納部へ収納することなく投出するモードへ切り替えるステップと、入金口に載置された紙幣を、識別部によって識別するステップと、識別結果に基づき、第１金種と識別された紙幣を第１出金口へ振り分けるとともに、第２金種と識別された紙幣を一時保留部へ振り分けるステップと、識別部による識別結果に基づき、第１金種および第２金種以外の紙幣を、第２出金口に振り分けるステップと、一時保留部へ振り分けられた紙幣を、第１出金口、入金口および第２出金口のいずれかへ繰り出すこととしたため、入金口に２種類の紙幣が投入された場合に、これらの紙幣を識別し、かつ、金種ごとに並び替えて投出することができるという効果を奏する。また、識別対象外の紙幣が混在している場合であっても、これら対象外の紙幣をリジェクト口へ別途集積しながら識別対称となる紙幣を識別し、かつ、識別対象となる紙幣を金種ごとに並び替えて投出することができるという効果を奏する。
【００２９】
また、本発明は、識別部によって識別された紙幣を収納部へ収納するモードから、識別部によって識別された紙幣を収納部へ収納することなく投出するモードへ切り替えるステップと、入金口に載置された紙幣を、識別部によって識別するステップと、識別部による識別結果に基づき、第１金種と識別された紙幣を第１出金口へ振り分けるとともに、第２金種と識別された紙幣を第２出金口へ振り分けるステップと、識別部による識別結果に基づき、第１金種および第２金種以外の紙幣を一時保留部へ振り分けるステップと、一時保留部へ振り分けられた紙幣を第１出金口、第２出金口、および入金口のいずれかへ繰り出すこととしたため、第１金種および第２金種がそれぞれ他の金種の紙幣と分離された状態で個別に投出されるため、第１金種および第２金種の紙幣をすぐに他の処理に回すことができる。
【００３０】
また、本発明は、上記の発明において、識別部によって識別された紙幣を収納部へ収納するモードにおいては、入金口に載置された紙幣のうちリジェクト紙幣を第２出金口に振り分けることとしたため、識別部による紙幣の識別結果に応じて、リジェクト紙幣については第２出金口へ投出しつつ、その他の正常な紙幣のみを収納部へ収納することができる。
【図面の簡単な説明】
【００３１】
【図１】図１は、本発明に係る紙幣処理手法の概要を示す図である。
【図２】図２は、本実施例に係る紙幣処理装置の全体構成を示す図である。
【図３】図３は、一時保留部による表裏反転処理の動作例を示す図である。
【図４】図４は、本実施例に係る紙幣処理装置の機能構成を示すブロック図である。
【図５】図５は、本実施例に係る紙幣振分部および保留紙幣繰出部の動作例を示す図である。
【図６】図６は、紙幣振分部および保留紙幣繰出部の他の動作例を示す図である。
【図７】図７は、本実施例に係る紙幣処理装置の処理手順を示すフローチャートである。
【図８】図８は、モード切替処理の変形例を示す図である。
【発明を実施するための形態】
【００３２】
以下に添付図面を参照して、本発明に係る紙幣処理装置の実施例を詳細に説明する。
【００３３】
まず、実施例の詳細な説明に先立って、本発明に係る紙幣処理手法の概要について図１を用いて説明する。図１は、本発明に係る紙幣処理手法の概要を示す図である。なお、同図の（Ａ）には、本発明に係る紙幣処理手法で用いられる２つの動作モードを示し、同図の（Ｂ）には、動作モードが第２のモードである場合の動作例を示している。
【００３４】
同図に示したように、本発明に係る紙幣処理手法では、入金された紙幣を収納部へ収納することなく識別計数のみを行って出金する点に特徴を有する。また、本発明に係る紙幣処理手法では、繰り入れた紙幣を一時的に保留するとともに再度繰り出し可能な一時保留部を用いることによって、入金された紙幣を金種ごとに並び替えて出金したり、紙幣の表裏を揃えて出金したりする点にも特徴がある。
【００３５】
具体的には、同図の（Ａ）に示したように、本発明に係る紙幣処理手法では、従来の紙幣処理装置と同様の処理手順で紙幣を処理する第１のモードと、本発明に特有の動作モードである第２のモードとを有する。
【００３６】
より具体的には、第１のモードでは、紙幣の「入金」を受け付けると、入金された紙幣を「識別」したのち、識別された紙幣を識別結果に応じて金種ごとに「収納」し、収納された紙幣をユーザからの操作等に応じて「出金」する。一方、第２のモードでは、入金された紙幣を「識別」したのち、識別された紙幣を収納することなく「出金」する。
【００３７】
ここで、第２のモード時における紙幣処理装置の動作について図１の（Ｂ）を用いて具体的に説明する。同図の（Ｂ）に示したように、紙幣処理装置は、紙幣の入金を受け付けると（同図の（１）参照）、搬送路によって入金口から搬送されてきた紙幣を識別部によって識別する（同図の（２）参照）。ここで、識別部は、紙幣の金種、真偽、正損、表裏あるいは天地等を識別する。また、識別部は、識別した紙幣を金種ごとに計数する処理も併せて行う。
【００３８】
つづいて、紙幣処理装置は、識別部による識別結果に応じて、第１の種別の紙幣を出金口へ投出し（同図の（３）参照）、第２の種別の紙幣を一時保留部に一時的に保留し（同図の（４）参照）、その他の紙幣をリジェクト口へ投出する（同図の（５）参照）。そして、紙幣処理装置は、一時保留部によって一時的に保留された紙幣を所定のタイミングで出金口へ投出する（同図の（６）参照）。
【００３９】
ここで、第１の種別の紙幣および第２の種別の紙幣は、ユーザによって任意に設定することができる。たとえば、第１の種別の紙幣を一万円札とし、第２の種別の紙幣を千円札とすれば、五千円札や偽券あるいは損券を含む複数の紙幣を入金口へまとめて投入した場合であっても、これらの紙幣の中から一万円札と千円札だけを識別計数して出金口へ投出することができる。
【００４０】
しかも、一時保留部に千円札を一時的に保留させておき、一万円札を全て出金口へ投出した後に一時保留部から出金口へ千円札を投出することによって、一万円札と千円札とを分けて投出することができる。
【００４１】
また、一時保留部は、搬送路から繰り入れた紙幣を表裏を反転させたうえで再度搬送路へ繰り出すことが可能となっている。このため、第１の種別の紙幣を一万円札の「表券」とし、第２の種別の紙幣を一万円札の「裏券」とすれば、複数の一万円札が表裏バラバラの状態で入金口へ投入された場合であっても、これら一万円札を識別計数し、かつ、表裏を揃えて出金口から投出することができる。なお、一時保留部による紙幣の表裏反転処理の詳細については、図３を用いて後述することとする。
【００４２】
このように、本発明に係る紙幣処理手法では、識別部によって識別された紙幣を収納部へ収納する第１のモードと、識別部によって識別された紙幣を収納部へ収納することなく投出する第２のモードとを有し、動作モードが第２のモードである場合には、識別部によって識別された紙幣を識別結果に応じて出金口、リジェクト口あるいは一時保留部の何れかへ振り分けることとしたため、入金された紙幣を収納部へ収納することなく識別計数することができる。
【００４３】
また、本発明に係る紙幣処理手法では、第２の種別の紙幣を一時保留部によって一時的に保留したうえで出金口へ投出することとしたため、識別計数の対象外の紙幣をリジェクト口へ投出させつつ２金種の紙幣を識別計数し、かつ、これら２金種の紙幣を金種ごとに並び替えて投出することができる。
【００４４】
なお、ここでは、一時保留部によって保留された紙幣を出金口へ投出する場合について説明したが、これに限ったものではなく、入金口あるいはリジェクト口へ投出することとしてもよい。また、一時保留部によって保留された紙幣を入金口あるいはリジェクト口へ投出する処理は、ボタン操作等の手動操作に基づいて開始してもよいし、入金口またはリジェクト口に紙幣が無くなったことを検知して自動的に開始してもよい。
【００４５】
また、一時保留部から入金口あるいはリジェクト口への投出を開始するときには、投出される紙幣が識別済みの処理対象紙幣であることを示す情報を所定表示部に表示する。
【００４６】
以下では、図１を用いて説明した紙幣処理手法を適用した紙幣処理装置および紙幣処理方法についての実施例を詳細に説明する。
【実施例】
【００４７】
図２は、本実施例に係る紙幣処理装置の全体構成を示す図である。同図に示すように、本実施例に係る紙幣処理装置１は、上部ユニット１０と下部ユニット２０とを有する。上部ユニット１０は、主に、入金紙幣の受け付けや入金された紙幣の識別計数、出金紙幣の投出等を行うユニットである。具体的には、上部ユニット１０は、入金口１１と、識別計数部１２と、出金口１３と、リジェクト口１４と、一時保留部１５と、搬送路１６とを含んでいる。なお、本実施例では、出金口１３が「第１出金口」、リジェクト口１４が「第２出金口」に相当する。
【００４８】
入金口１１は、装置の天面を凹状に窪ませて開口を形成したボックスであり、ボックス内またはその近傍に設けられたローラ等の繰り込み部によって入金紙幣を１枚ずつ装置内部の搬送路１６へと繰り込む。また、入金口１１には、入金口１１に残存する紙幣を検知する残存紙幣検知センサ（図示せず）が設けられている。なお、入金紙幣の繰り込み開始は、手動で行ってもよいし自動で行ってもよい。
【００４９】
識別計数部１２は、搬送路１６によって搬送される紙幣を識別する紙幣識別機である。具体的には、識別計数部１２は、搬送路１６によって搬送されてきた紙幣に対して金種判定、真偽判定、正損判定、表裏判定あるいは天地判定といった各種の鑑別を行う。また、識別計数部１２は、識別した紙幣を金種ごとに計数する処理も併せて行う。なお、真偽判定とは、紙幣が本物か偽物かを判定することを示す。また、正損判定とは、本物の紙幣のうち状態のよい紙幣（正券）か汚れや損傷がある紙幣（損券）かを判定することを示す。
【００５０】
出金口１３は、入金口１１と同様に開口が形成されたボックスであり、装置内部から投出された出金紙幣が集積される。また、出金口１３には、出金口１３に残存する紙幣を検知する残存紙幣検知センサ（図示せず）が設けられている。
【００５１】
リジェクト口１４は、入金口１１や出金口１３と同様に開口が形成されたボックスであり、動作モードが第１のモードである場合に、入金紙幣のうち識別計数部１２によって不適正と識別された紙幣（偽券、損券あるいは識別不能券）が集積される。なお、動作モードが第２のモードである場合、リジェクト口１４は、上記不適正と識別された紙幣の他、適正ではあるが識別計数の対象となっていない紙幣や識別計数の対象紙幣の集積にも利用することができる。たとえば、出金時には収納部２１に収納されたリジェクト券をリジェクト口１４へ投出せずに集積部２２へ集積することで、リジェクト口１４を第２出金口として利用することができる。
【００５２】
一時保留部１５は、搬送路１６によって搬送される紙幣を繰り入れて一時的に保留するとともに保留した紙幣を繰り出し可能な収納繰出部である。また、一時保留部１５は、搬送路１６によって搬送される紙幣をスイッチバックさせて搬送路１６へ戻すことによって紙幣の表裏を反転させることができる。
【００５３】
ここで、一時保留部１５による表裏反転処理の動作例について図３を用いて説明する。図３は、一時保留部１５による表裏反転処理の動作例を示す図である。なお、同図の（Ａ）には、紙幣を一時保留部１５へ繰り入れる場合の動作例を示し、同図の（Ｂ）には、一時保留部１５から紙幣を繰り出す場合の動作例を示している。
【００５４】
同図の（Ａ）に示したように、一時保留部１５は、スイッチバック経路１５ａと、テープ式巻取部１５ｂとを備える。スイッチバック経路１５ａは、搬送路１６から分岐する経路であり、搬送路１６とテープ式巻取部１５ｂとを接続している。ここで、搬送路１６を搬送される紙幣は、スイッチバック経路１５ａへ一旦引き込まれたのち再度搬送路１６へ繰り出される（すなわち、スイッチバックされる）ことによって、表裏が反転した状態で搬送路１６へ戻されることとなる。なお、スイッチバック経路１５ａは、搬送路１６とリジェクト口１４とを接続する経路でもある。
【００５５】
テープ式巻取部１５ｂは、回転ドラム１５１と、上部プーリ１５２と、下部プーリ１５３と、テープ１５４，１５５とを含んで構成される。回転ドラム１５１は、正逆回転自在に軸支された回転部材であり、周縁には２つのテープ１５４，１５５が巻き付けられている。また、上部プーリ１５２は、２つのテープ１５４，１５５のうち、テープ１５４を巻き取る部材であり、下部プーリ１５３は、テープ１５５を巻き取る部材である。
【００５６】
テープ式巻取部１５ｂに紙幣を保留させる場合には、回転ドラム１５１が正方向（同図の（Ａ）に示した矢印方向）に回転し、スイッチバック経路１５ａを介して繰り込まれる紙幣をテープ１５４，１５５間に挟み込んだ状態で回転ドラム１５１の周面に巻き付けて保持する。
【００５７】
一方、テープ式巻取部１５ｂから紙幣を繰り出す場合には、同図の（Ｂ）に示したように、回転ドラム１５１が逆方向（同図の（Ｂ）に示した矢印方向）に回転し、テープ１５４，１５５間に挟持されていた紙幣をスイッチバック経路１５ｂへ繰り出す。そして、テープ式巻取部１５ｂによってスイッチバック経路１５ｂへ繰り出された紙幣は、搬送路１６から繰り入れられたときと表裏が反転した状態で搬送路１６へと戻される。
【００５８】
このように、一時保留部１５は、スイッチバック経路１５ａへ引き入れられた紙幣をテープ式巻取部１５ｂを用いて一時的に保留することができる。また、一時保留部１５は、一時的に保留した紙幣をスイッチバックさせて再び搬送路１６へと戻すことによって紙幣の表裏を反転させることができる。
【００５９】
図２に戻り、搬送路１６について説明する。搬送路１６は、紙幣を表裏両側から挟持して一枚ずつ搬送するベルトコンベアおよびかかるベルトコンベアの駆動部を含んだ搬送部である。具体的には、搬送路１６は、入金口１１、識別計数部１２、出金口１３、リジェクト口１４、一時保留部１５、後述するスタッカ２１ａ〜２１ｅ、精査カセット２１ｆおよび集積部２２をベルトコンベアによって相互に接続し、これら各部の間で紙幣の搬送を行う。
【００６０】
つづいて、下部ユニット２０について説明する。下部ユニット２０は、収納繰出部２１と、集積部２２とを備える。収納繰出部２１は、紙幣を金種ごとに収納するとともに収納した紙幣を上部ユニット１０へ繰り出し可能な収納部である。具体的には、収納繰出部２１は、スタッカ２１ａ〜２１ｅと、精査カセット２１ｆとを備える。
【００６１】
スタッカ２１ａ〜２１ｅは、紙幣を金種ごとに収納する収納部である。また、スタッカ２１ａ〜２１ｅは、収納した紙幣を上部ユニット１０の搬送路１６へ繰り出す繰出機構を備えている。なお、ここでは一例として、スタッカ２１ａには千円札、スタッカ２１ｂには二千円札、スタッカ２１ｃには五千円札、スタッカ２１ｄには一万円札がそれぞれ収納されるものとする。ただし、どのスタッカにどの金種の紙幣を収納するかは、ユーザによって任意に設定可能である。
【００６２】
精査カセット２１ｆは、収納繰出部２１に対して脱着可能な現金カセットであり、紙幣詰まりなどが原因でスタッカ２１ａ〜２１ｅの収納枚数が不確定となった場合にそのスタッカ２１ａ〜２１ｅの収納枚数を精査する機能を有する。なお、精査カセット２１ｆは、スタッカ２１ａ〜２１ｅと同様に紙幣を収納するとともに収納した紙幣を上部ユニット１０へ繰り出すこともできる。
【００６３】
集積部２２は、収納繰出部２１とは異なり、紙幣の収納のみを行う収納部である。この集積部２２には、たとえば、営業終了後において売上金等が収納されることとなる。
【００６４】
ここで、図２を用いて第１のモード（通常モード）時の動作について説明しておく。動作モードが第１のモードである場合には、紙幣処理装置１は、入金口１１で受け付けた紙幣を搬送路１６を介して識別計数部１２へと搬送し、識別計数部１２による紙幣の識別結果に応じて、紙幣を金種ごとのスタッカ２１ａ〜２１ｅへ収納する。
【００６５】
具体的には、紙幣処理装置１は、識別計数部１２によって千円札と識別された紙幣を搬送路１６を介してスタッカ２１ａへ収納し、二千円札と識別された紙幣をスタッカ２１ｂへ収納する。同様に、紙幣処理装置１は、識別計数部１２によって五千円札と識別された紙幣を搬送路１６を介してスタッカ２１ｃへ収納し、一万円札と識別された紙幣を搬送路１６を介してスタッカ２１ｄへ収納する。
【００６６】
また、紙幣処理装置１は、識別計数部１２によって偽券、損券あるいは識別不能と判定されたリジェクト紙幣（リジェクト券）をリジェクト口１４へ投出する。これによって、識別計数部１２による紙幣の識別結果に応じて、リジェクト紙幣については投出しつつ、その他の正常な紙幣を金種ごとに収納することができる。
【００６７】
また、ユーザから出金操作を受け付けた場合には、紙幣処理装置１は、操作に応じた紙幣をスタッカ２１ａ〜２１ｄから繰り出し、搬送路１６を介して出金口１３から投出する。なお、紙幣処理装置１は、スタッカ２１ａ〜２１ｄから繰り出した紙幣を再度識別計数部１２で識別し、不適切な紙幣が混在している場合には、集積部２２へ投出する。
【００６８】
なお、ここでは、入金口１１で受け付けた紙幣を一時保留部１５を利用することなくスタッカ２１ａ〜２１ｅへ収納する場合について説明したが、入金時に一時保留部１５を利用してもよい。たとえば、紙幣処理装置１は、リジェクト券を除く入金紙幣を一時保留部１５に保留した後、計数結果を後述する表示部１１４に表示させる。そして、紙幣処理装置１は、利用者による操作によって計数結果が承認された後に、一時保留部１５へ収納しておいた入金紙幣をスタッカ２１ａ〜２１ｅへ収納することとしてもよい。
【００６９】
次に、本実施例に係る紙幣処理装置１の機能構成について図４を用いて説明する。図４は、本実施例に係る紙幣処理装置の機能構成を示すブロック図である。なお、同図には、紙幣処理装置１の特徴を説明するために必要な構成要素のみを示しており、一般的な構成要素についての記載を省略している。
【００７０】
同図に示すように、本実施例に係る紙幣処理装置１は、操作部１１１と、識別計数部１１２と、分岐部１１３と、表示部１１４と、制御部１２０と、記憶部１３０とを備えている。また、制御部１２０は、モード切替部１２０ａと、紙幣振分部１２０ｂと、保留紙幣繰出部１２０ｃとを備え、記憶部１３０は、モード設定情報１３０ａと、入金情報１３０ｂとを記憶している。
【００７１】
操作部１１１は、ユーザからの各種操作を受け付ける入力装置である。具体的には、操作部１１１では、動作モードの切替指示や識別計数の対象となる紙幣の選択といった操作を受け付ける。ここで、操作部１１１は、動作モードの切替指示や識別計数の対象となる紙幣の指定をユーザから受け付けると、かかる切替指示や対象紙幣の指定情報をモード切替部１２０ａへ通知する。なお、入金口１１へ投入された紙幣の繰り入れ開始の指示をかかる操作部１１１で受け付けることとしてもよい。
【００７２】
識別計数部１１２は、図２に示した識別計数部１２であり、搬送路１６によって搬送されてきた紙幣に対して金種判定、真偽判定、正損判定、表裏判定あるいは天地判定といった各種の鑑別および識別した紙幣の計数処理を行う。また、識別計数部１１２は、紙幣の識別計数処理を行うごとに、識別結果および計数結果を紙幣振分部１２０ｂへ通知する。
【００７３】
分岐部１１３は、搬送路１６の各分岐点に設けられた経路切替部である。具体的には、分岐部１１３は、搬送路１６によって搬送される紙幣をそのまま搬送路１６の下流側へ搬送させる位置と、搬送路１６に接続される各部（たとえば、出金口１３やスタッカ２１ａ〜２１ｅ）へ搬送させる位置との間で揺動することで、紙幣を所望の場所へ投出させることができる。たとえば、分岐部１１３は、搬送路１６とスイッチバック経路１５ａとの分岐点や、搬送路１６と出金口１３との分岐点あるいは搬送路１６と入金口１１との分岐点等に設けられている。
【００７４】
表示部１１４は、識別計数部１１２による紙幣の識別結果や計数結果を表示するディスプレイである。
【００７５】
制御部１２０は、動作モードの切り替えや識別された紙幣の振り分けあるいは一時保留部１５に一時的に保留された紙幣の繰り出しといった処理を行う処理部である。モード切替部１２０ａは、操作部１１１からモード切替指示を受け取った場合に、モード設定情報１３０ａを更新することによって第１のモードと第２のモードとの間で動作モードの切替を行う処理部である。また、モード切替部１２０ａは、操作部１１１から受け取った対象紙幣の指定情報も同様にモード設定情報１３０ａとして記憶部１３０に記憶する。このように、モード設定情報１３０ａは、現在設定されている動作モードに関する情報と、対象紙幣の指定情報とを含んだ情報である。
【００７６】
紙幣振分部１２０ｂは、識別計数部１１２から紙幣の識別結果を受け取ると、受け取った識別結果に応じて分岐部１１３を揺動させることによって紙幣を各部へ振り分ける処理部である。具体的には、紙幣振分部１２０ｂは、モード設定情報１３０ａを参照し、動作モードが第１のモードである場合には、識別計数部１１２によって適正と識別された紙幣を金種ごとのスタッカ２１ａ〜２１ｅへ振り分ける。また、紙幣振分部１２０ｂは、識別計数部１１２によって不適正と識別された紙幣をリジェクト口１４へ振り分ける。
【００７７】
一方、動作モードが第２のモードである場合には、紙幣振分部１２０ｂは、識別計数部１１２による識別結果に応じて紙幣を出金口１３、リジェクト口１４あるいは一時保留部１５の何れかへ振り分ける。かかる紙幣振分部１２０ｂの第２のモード時の動作例については、図５および図６を用いて後述する。
【００７８】
また、紙幣振分部１２０ｂは、識別計数部１１２から受け取った識別結果および計数結果に応じて入金情報１３０ｂを更新する。ここで、入金情報１３０ｂは、紙幣の識別結果の履歴情報および金種ごとの計数結果を含んだ情報である。
【００７９】
保留紙幣繰出部１２０ｃは、動作モードが第２のモードである場合に、紙幣振分部１２０ｂによって一時保留部１５へ振り分けられた紙幣を出金口１３へ繰り出す処理部である。また、保留紙幣繰出部１２０ｃは、入金情報１３０ｂを参照して、紙幣の計数結果を表示部１１４に対して表示させる処理も併せて行う。
【００８０】
ここで、紙幣振分部１２０ｂおよび保留紙幣繰出部１２０ｃの動作例について図５を用いて説明する。図５は、本実施例に係る紙幣振分部１２０ｂおよび保留紙幣繰出部１２０ｃの動作例を示す図である。
【００８１】
なお、同図では、識別計数の対象紙幣を一万円札とするとともに識別計数を行った一万円札を表裏が揃った状態で投出する場合を例に挙げて説明する。また、同図の（Ａ）には、紙幣振分部１２０ｂの動作例を示し、同図の（Ｂ）には、保留紙幣繰出部１２０ｃの動作例について示している。
【００８２】
同図の（Ａ）に示したように、入金口１１に一万円札とリジェクト券（偽券や識別不能券を含む紙幣）とが表裏がバラバラな状態で投入されたとする（同図の（１）参照）。かかる場合、紙幣処理装置１では、識別計数部１２が、入金口１１に投入された紙幣を１枚ずつ識別計数し（同図の（２）参照）、紙幣振分部１２０ｂが、識別計数された紙幣を識別結果に応じて出金口１３、リジェクト口１４あるいは一時保留部１５の何れかへ振り分ける。
【００８３】
具体的には、紙幣振分部１２０ｂは、識別計数部１２へ搬送された紙幣が一万円札の表券と識別された場合には、搬送路１６と出金口１３との間の分岐部１１３を揺動させることによって、かかる紙幣を出金口１３へ投出する（同図の（３）参照）。
【００８４】
また、紙幣振分部１２０ｂは、識別計数部１２へ搬送された紙幣が一万円札の裏券と識別された場合には、搬送路１６と一時保留部１５（スイッチバック経路１５ａ）との間の分岐部１１３を揺動させることによって、かかる紙幣を一時保留部１５（テープ式巻取部１５ｂ）に一時的に保留させる（同図の（４）参照）。また、紙幣振分部１２０ｂは、識別計数部１２によってリジェクト券と識別された紙幣をリジェクト口１４へ投出する（同図の（５）参照）。
【００８５】
一方、入金口１１に設けられた残存紙幣検知センサが入金口１１に残存する紙幣を検知しなくなり、紙幣振分部１２０ｂが入金口１１に投入された紙幣の全てを振り分け終えると、保留紙幣繰出部１２０ｃは、同図の（Ｂ）に示したように、一時保留部１５によって保留された一万円札の裏券を出金口１３へ投出する。
【００８６】
具体的には、保留紙幣繰出部１２０ｃは、搬送路１６とスイッチバック経路１５ａとの間の分岐部１１３を揺動させたうえで、一時保留部１５によって一時的に保留された一万円札の裏券を搬送路１６へ繰り出させる。ここで、一時保留部１５によって一時的に保留された一万円の裏券は、上述したように、表裏が反転した状態で搬送路１６へ繰り出される。そして、保留紙幣繰出部１２０ｃは、搬送路１６と出金口１３との間の分岐部１１３を揺動させることによって、一時保留部１５から搬送路１６へ繰り出された紙幣を出金口１３へ投出する（同図の（６）参照）。これにより、出金口１３には、一万円札の表券のみが集積されることとなる。
【００８７】
このように、紙幣振分部１２０ｂが、識別計数部１２によって所定の金種と識別された紙幣のうち、表券を出金口１３へ振り分けるとともに裏券を一時保留部１５へ振り分け、保留紙幣繰出部１２０ｃが、一時保留部１５へ振り分けられた紙幣の表裏を反転させたうえで出金口１３へ繰り出すこととすれば、表裏がバラバラな状態で紙幣が投入された場合であっても、これら複数の紙幣のうち所定の金種の紙幣を識別計数し、かつ、所定の金種の紙幣を表裏が揃った状態で投出することができる。
【００８８】
すなわち、本実施例に係る紙幣処理装置１によれば、識別計数のみを行う専用機を用意する必要がなくなるため、かかる専用機によって無駄な設置スペースを取られることがなく、また、設備費用を抑えることもできる。また、専用の表裏反転機構を別途設けることなく識別計数処理および表裏反転処理を同時に行うことができる。
【００８９】
ところで、出金口１３、リジェクト口１４あるいは一時保留部１５に対してどういった種別の紙幣を振り分けるかは、ユーザによる操作部１１１への操作に応じて任意に設定可能である。そこで、以下では、紙幣振分部１２０ｂおよび保留紙幣繰出部１２０ｃの他の動作例について図６を用いて説明する。図６は、紙幣振分部１２０ｂおよび保留紙幣繰出部１２０ｃの他の動作例を示す図である。
【００９０】
同図の（Ａ）には、一万円札および千円札が対象紙幣として設定された場合における紙幣振分部１２０ｂおよび保留紙幣繰出部１２０ｃの動作例を示している。同図の（Ａ）に示したように、入金口１１に一万円札、五千円札、千円札およびリジェクト券がそれぞれ複数枚投入されたとする（ＳＴＥＰ１）。かかる場合、紙幣振分部１２０ｂは、一万円札と識別された紙幣を出金口１１へ、千円札と識別された紙幣を一時保留部１５へ、その他の紙幣（五千円札およびリジェクト券）をリジェクト口１４へそれぞれ振り分ける（ＳＴＥＰ２）。
【００９１】
そして、出金口１３に設けられた残存紙幣検知センサが出金口１３に残存する紙幣を検知しなくなった場合、すなわち、出金口１３へ投出された一万円札がユーザによって取り出されると、保留紙幣繰出部１２０ｃは、一時保留部１５に保留されている千円札を出金口１３へ繰り出す（ＳＴＥＰ３）。
【００９２】
このように、紙幣振分部１２０ｂが、識別計数部１２によって第１金種と識別された紙幣を出金口１３へ振り分けるとともに第２金種と識別された紙幣を一時保留部１５へ振り分け、保留紙幣繰出部１２０ｃが、一時保留部１５へ振り分けられた第２金種の紙幣を出金口１３へ繰り出すこととすれば、入金口１１に投入された複数の紙幣の中から２種類の紙幣を識別計数し、かつ、これら２金種の紙幣を金種ごとに並び替えて投出することができる。
【００９３】
しかも、紙幣振分部１２０ｂが、偽券や識別不能券といったリジェクト券および所定の金種と識別された紙幣以外の紙幣（五千円札等）をリジェクト口１４へ振り分け、保留紙幣繰出部１２０ｃが、紙幣振分部１２０ｂによって一時保留部１５へ振り分けられた紙幣を出金口１３、入金口１１またはリジェクト口１４のいずれかへ繰り出すこととしたため、識別計数の対象外の紙幣が混在している場合であっても、これら対象外の紙幣をリジェクト口１４へ別途集積しながら対象紙幣を識別計数することができる。
【００９４】
さらに、出金口１３に紙幣が残存していないことが残存紙幣検知センサによって検知された場合に、保留紙幣繰出部１２０ｃが、一時保留部１５へ振り分けられた第２金種の紙幣を出金口１３へ繰り出すこととした。すなわち、保留紙幣繰出部１２０ｃが、紙幣振分部１２０ｂによって一時保留部１５へ振り分けられた紙幣を、残存紙幣検知センサによって紙幣が残存していないことを検知した出金口１３またはリジェクト口１４のいずれかへ繰り出すこととしたため、ユーザは、第１金種の紙幣と第２金種の紙幣とを個別に取り出すことができる。
【００９５】
なお、同図の（Ａ）では、ユーザが出金口１３から第１金種の紙幣を取り出したあとで第２金種の紙幣を出金口１３へ投出することとしたが、第１金種の紙幣を出金口１３へ投出し終えた後すぐに第２金種の紙幣を出金口１３へ投出することとしてもよい。また、第１金種の紙幣を出金口１３へ投出し終えたあと、表示部１１４に対して第１金種の紙幣の投出が終了した旨を表示し、ユーザが操作部１１１を用いて第２金種の紙幣の投出指示を行った場合に、第２金種の紙幣を出金口１３へ投出することとしてもよい。
【００９６】
また、一時保留部１５によって保留された紙幣を出金口１３ではなく、入金口１１へ投出することとしてもよい。かかる場合には、第１金種の紙幣および第２金種の紙幣をそれぞれ出金口１３および入金口１１から同時に投出させることができる。なお、一時保留部１５によって保留された紙幣の投出先や投出タイミングについては、利用者が任意に設定することができる。
【００９７】
また、処理対象である一万円札および千円札を各々出金口１３およびリジェクト口１４のいずれかへ投出し、リジェクト券を一時保留部１５に保留することもできる。かかる場合には、処理対象の紙幣を全て処理し終えた直後に、識別計数を終えた処理対象紙幣が出金口１３およびリジェクト口１４に投出された状態にある。すなわち、第１金種および第２金種がそれぞれ他の金種の紙幣と分離された状態で個別に投出されるため、第１金種および第２金種の紙幣をすぐに他の処理に回すことができる。
【００９８】
なお、一時保留部１５に保留されたリジェクト券は、入金口１１に投出してもよいし、処理対象紙幣が取り出された後に出金口１３およびリジェクト口１４のいずれかに投出してもよい。また、処理対象となる紙幣の投出先についても、利用者が任意に設定することができる。
【００９９】
また、処理時には、入金口１１、出金口１３、リジェクト口１４に投出される紙幣や、一時保留部１５に保留される紙幣に関する情報等、必要な情報が表示部１１４に表示されるため、利用者は混乱することなく、各処理を行うことができる。
【０１００】
また、識別計数の対象となっている紙幣のみが入金口１１へ投入された場合には、第１金種の紙幣を出金口１３へ投出すると同時に、第２金種の紙幣をリジェクト口１４へ投出することもできる。たとえば、同図の（Ｂ）に示すように、入金口１１に一万円札および千円札のみが投入されたとする（ＳＴＥＰ１）。かかる場合、紙幣振分部１２０ｂは、一万円札と識別された紙幣を出金口１１へ振り分けるとともに、千円札と識別された紙幣を一時保留部１５ではなくリジェクト口１４へ振り分ける（ＳＴＥＰ２）。これにより、ユーザは、識別計数の対象である２金種の紙幣を同時に取り出すことができる。
【０１０１】
また、２金種の紙幣を識別計数するとともに、識別計数した２金種の紙幣の表裏を揃えて投出することもできる。具体的には、同図の（Ｃ）に示すように、入金口１１に一万円札および千円札のみが投入されたとする（ＳＴＥＰ１）。かかる場合、紙幣振分部１２０ｂは、一万円札の表券と識別された紙幣を出金口１１へ、千円札の表券と識別された紙幣をリジェクト口１４へ、一万円札の裏券と識別された紙幣および千円札の裏券と識別された紙幣を一時保留部１５へ振り分ける（ＳＴＥＰ２）。
【０１０２】
そして、全ての紙幣を各部へ振り分け終えると、保留紙幣繰出部１２０ｃは、一時保留部１５によって保留されている紙幣のうち一万円札の裏券を出金口１３へ投出するとともに、千円札の裏券をリジェクト口１４へ投出する（ＳＴＥＰ３）。ここで、一時保留部１５から繰り出された一万円札の裏券および千円札の裏券は、上述したように、表裏が反転された状態で出金口１３およびリジェクト口１４へ投出されるため、出金口１３には一万円札の表券のみが集積され、リジェクト口１４には千円札の表券が集積されることとなる。
【０１０３】
これにより、２金種の紙幣を同時に識別計数でき、かつ、識別計数した２金種の紙幣の表裏を揃えて投出することができる。なお、保留紙幣繰出部１２０ｃは、一万円札の裏券と千円札の裏券とがどの順序で一時保留部１５に保留されているかを入金情報１３０ｂを参照することによって特定することができる。したがって、保留紙幣繰出部１２０ｃは、入金情報１３０ｂを参照して、一時保留部１５に保留されている紙幣のうち一万円札の裏券を出金口１３へ投出し、千円札の裏券をリジェクト口１４へ投出する。
【０１０４】
また、紙幣の表裏を揃えるとともに、天方向向きの紙幣と地方向向きの紙幣とを区別して投出することも可能である。具体的には、同図の（Ｄ）に示すように、入金口１１に一万円札が投入されたとする（ＳＴＥＰ１）。かかる場合、紙幣振分部１２０ｂは、天方向向きの表券と識別された紙幣を出金口１１へ、地方向向きの表券と識別された紙幣をリジェクト口１４へ、天方向向きの裏券と識別された紙幣および地方向向きの裏券と識別された紙幣を一時保留部１５へ振り分ける（ＳＴＥＰ２）。
【０１０５】
そして、全ての紙幣を各部へ振り分け終えると、保留紙幣繰出部１２０ｃは、一時保留部１５によって保留されている紙幣のうち天方向向きの裏券を出金口１３へ投出するとともに、地方向向きの裏券をリジェクト口１４へ投出する（ＳＴＥＰ３）。ここで、一時保留部１５から繰り出された天方向向きの裏券および地方向向きの裏券は、上述したように、表裏が反転された状態で出金口１３およびリジェクト口１４へ投出される。このため、出金口１３には天方向向きの表券のみが集積され、リジェクト口１４には地方向向きの表券のみが集積されることとなる。したがって、ユーザは、識別計数後の紙幣の天地方向を揃えるといった煩雑な作業を行う必要がなくなる。
【０１０６】
次に、本実施例に係る紙幣処理装置１の具体的動作について図７を用いて説明する。図７は、紙幣処理装置１の処理手順を示すフローチャートである。
【０１０７】
同図に示すように、識別計数部１１２は、搬送路１６によって搬送されてきた紙幣を識別するとともに（ステップＳ１０１）、金種ごとに計数する（ステップＳ１０２）。つづいて、紙幣振分部１２０ｂは、モード設定情報１３０ａを参照することによって動作モードが第２のモードであるか否かを判定する（ステップＳ１０３）。そして、動作モードが第２のモードである場合には（ステップＳ１０３、Ｙｅｓ）、紙幣振分部１２０ｂは、識別結果に応じて出金口１３、リジェクト口１４あるいは一時保留部１５に紙幣を振り分ける（ステップＳ１０４）。
【０１０８】
つづいて、保留紙幣繰出部１２０ｃは、全ての紙幣の各部への振り分けが完了したか否かを判定し（ステップＳ１０５）、紙幣の振り分けが完了した場合には（ステップＳ１０５、Ｙｅｓ）、一時保留部１５に保留された紙幣を出金口１３へ繰り出す（ステップＳ１０６）。そして、保留紙幣繰出部１２０ｃは、識別計数部１１２による計数結果を表示部１１４に対して表示させて（ステップＳ１０７）、処理を終了する。
【０１０９】
なお、ステップＳ１０３において動作モードが第２のモードでない場合（ステップＳ１０３、Ｎｏ）、すなわち、動作モードが第１のモードである場合には、紙幣振分部１２０ｂは、識別結果に応じて紙幣を金種ごとのスタッカ２１ａ〜２１ｅへ振り分けて（ステップＳ１０８）、処理を終了する。
【０１１０】
上述してきたように、本実施例では、モード切替部が、識別計数部によって識別された紙幣を収納繰出部の各スタッカへ収納する第１のモードと、識別計数部によって識別された紙幣を収納繰出部へ収納することなく投出する第２のモードとの間で動作モードを切り替え、紙幣振分部が、動作モードが第２のモードである場合に、識別計数部による識別結果に応じて紙幣を出金口、リジェクト口あるいは一時保留部の何れかへ振り分け、保留紙幣繰出部が、一時保留部へ振り分けられた紙幣を出金口へ繰り出すこととした。したがって、入金された紙幣を収納することなく識別することができる。
【０１１１】
ところで、上述してきた実施例では、モード切替部１２０ａが、ユーザの操作部１１１への操作に応じて動作モードを切り替える場合について説明してきたが、これに限ったものではない。たとえば、上部ユニット１０と下部ユニット２０とが分離可能である場合には、上部ユニット１０と下部ユニット２０との接続状態に応じて動作モードを切り替えることとしてもよい。
【０１１２】
以下では、かかる点について図８を用いて説明する。図８は、モード切替処理の変形例を示す図である。なお、同図の（Ａ）には、上部ユニット１０と下部ユニット２０とが接続されている状態を示しており、同図の（Ｂ）には、上部ユニット１０と下部ユニット２０とが分離している状態を示している。
【０１１３】
同図の（Ａ）に示したように、上部ユニット１０には、上部ユニット１０と下部ユニット２０との接続状態を検知するセンサである状態検知部１１５が備えられている。そして、動作モード切替部１２０ａは、上部ユニット１０と下部ユニット２０とが接続されたことが状態検知部１１５によって検知された場合に（同図の（Ａ−１）参照）、動作モードを第１のモードへ切り替える（同図の（Ａ−２）参照）。
【０１１４】
一方、同図の（Ｂ）に示したように、動作モード切替部１２０ａは、上部ユニット１０と下部ユニット２０とが接続されていないことが状態検知部１１５によって検知された場合には（同図の（Ｂ−１）参照）、動作モードを第２のモードへ切り替える（同図の（Ｂ−２）参照）。
【０１１５】
このように、上部ユニット１０と下部ユニット２０とが接続されている場合には、動作モードを第１のモードとし、上部ユニット１０と下部ユニット２０とが分離している場合には、動作モードを第２のモードとすることによって、動作モードの切り替えに要するユーザの負担を軽減することができる。
【０１１６】
なお、ここでは、上部ユニット１０と下部ユニット２０とが物理的に分離した場合に動作モードを切り替えることとしたが、これに限ったものではなく、上部ユニット１０と下部ユニット２０とが電磁的に分離した場合に動作モードを切り替えることとしてもよい。
【０１１７】
たとえば、下部ユニット２０へ収納された紙幣を店舗側ではなく警送会社や銀行が管理することを想定し、下部ユニット２０への紙幣の収納あるいは下部ユニット２０からの紙幣の投出を不可状態とするロック機能が紙幣処理装置１に設けられる場合がある。たとえば、紙幣処理装置１は、営業終了後など所定の時刻となった場合に自動的にロック機能を有効化することができる。また、紙幣処理装置１は、何らかのトラブルが発生し、下部ユニット２０への紙幣の収納を取り止めたい場合に操作部１１１または所定のリモートコントローラへの操作に応じてロック機能を有効化することもできる。
【０１１８】
そして、動作モード切替部１２０ａは、ロック機能が有効となった場合に、上部ユニット１０と下部ユニット２０とが物理的には接続されていても、電磁的に分離されたものと判定して動作モードを切り替えることとしてもよい。
【０１１９】
また、上述してきた実施例では、一時保留部１５によって一時的に保留された紙幣を出金口１３へ投出する場合について説明したが、これに限ったものではなく、入金口１１へ投出することとしてもよい。
【０１２０】
また、上述してきた実施例では、入金された紙幣を一時的に保留するとともに再度搬送路１６へ繰り出す一時保留部の一例として一時保留部１５を用いて説明したが、これに限ったものではなく、スタッカ２１ａ〜２１ｅの何れかを一時保留部として利用してもよい。
【０１２１】
また、上述してきた実施例では、いわゆるテープ式の収納部であるテープ式巻取部１５ｂを用いて紙幣を一時的に保留するとともに再度搬送路１６へ繰り出す場合について説明したが、保留した紙幣を再度繰り出し可能であればよく、たとえば、スタッカ２１ａ〜２１ｅと同様にスタッカ式の収納部を用いてもよい。
【産業上の利用可能性】
【０１２２】
以上のように、本発明に係る紙幣処理装置および紙幣処理方法は、入金された紙幣を収納することなく識別したい場合に有用であり、特に、紙幣を識別計数しつつ表裏を揃えた状態で投出したい場合に適している。
【符号の説明】
【０１２３】
１    紙幣処理装置
１０    上部ユニット
１１    入金口
１２    識別計数部
１３    出金口
１４    リジェクト口
１５    一時保留部
１５ａ  スイッチバック経路
１５ｂ  テープ式巻取部
１５１    回転ドラム
１５２    上部プーリ
１５３    下部プーリ
１５４，１５５  テープ
１６    搬送路
２０    下部ユニット
２１    収納繰出部
２１ａ〜２１ｅ  スタッカ
２１ｆ  精査カセット
２２    集積部
１１１    操作部
１１２    識別計数部
１１３    分岐部
１１４    表示部
１１５    状態検知部
１２０    制御部
１２０ａ  モード切替部
１２０ｂ  紙幣振分部
１２０ｃ  保留紙幣繰出部
１３０    記憶部
１３０ａ  モード設定情報
１３０ｂ  入金情報
【図１】
0005616075.tif 000002
【図２】
0005616075.tif 000003
【図３】
0005616075.tif 000004
【図４】
0005616075.tif 000005
【図５】
0005616075.tif 000006
【図６】
0005616075.tif 000007
【図７】
0005616075.tif 000008
【図８】
0005616075.tif 000009